(57)【要約】【課題】  係止孔へ係止ピン挿入部の挿入を円滑、容易化し、帆立貝養殖作業における係止ピンの装着作業の円滑、容易化、効率化を図り得るようにした帆立貝養殖用の係止ピンの切断方法及び養殖帆立貝の係止ピンを提供する【解決手段】  ランナ部２と、ランナ部２から分岐したゲート部３と、ゲート部３の先に設けられた軸部４とからなり、軸部４の少なくとも一端部に、帆立貝耳片に穿孔した耳吊り孔への先部挿入部５を有し、この先部挿入部５の軸内方部に、周方向に突出する帆立貝係止部６を有し、軸部には周方向に突出するロープ抜止係止部を有し、全一体に樹脂成形された帆立貝養殖用の係止ピンであって、この係止ピンをゲート部３から切断する帆立貝養殖用の係止ピンの切断方法において、ゲート部３と軸部４の先部挿入部５との間を、レーザ照射装置による照射光１１で溶融切断するようにした帆立貝養殖用の係止ピンの切断方法。【選択図】図１
2014018171.tif 000002
【特許請求の範囲】
【請求項１】
ランナ部と、このランナ部から分岐したゲート部と、このゲート部の先に設けられた軸部とからなり、或いは、ランナ部に直接設けられた軸部とからなり、
この軸部の少なくとも一端部に、帆立貝耳片に穿孔した耳吊り孔への先部挿入部を有し、軸部の先部挿入部の軸内方部に、周方向に突出する帆立貝係止部を有し、軸部には周方向に突出するロープ抜止係止部を有し、全一体に樹脂成形された帆立貝養殖用の係止ピンであって、この係止ピンを前記ゲート部、或いはランナ部に接する軸部の先端部から切断する帆立貝養殖用の係止ピンの切断方法において、
前記ゲート部と軸部の先部挿入部との間、或いはランナ部に接する軸部の先端部との間を、レーザ照射装置による照射光で溶融切断するようにした、
ことを特徴とする帆立貝養殖用の係止ピンの切断方法。
【請求項２】
ランナ部と、このランナ部から分岐したゲート部と、このゲート部の先に設けられた軸部とからなり、或いは、ランナ部に直接設けられた軸部とからなり、
この軸部の両端部に、帆立貝耳片に穿孔した耳吊り孔への先部挿入部を有し、軸部の先部挿入部の軸内方部に、周方向に突出する一対の帆立貝係止部を有し、軸部の長さ方向中間部に周方向に突出する一対のロープ抜止係止部を有し、全一体に樹脂成形された帆立貝養殖用の係止ピンであって、この係止ピンを前記ゲート部、或いはランナ部に接する軸部の先部挿入部との間から切断する帆立貝養殖用の係止ピンの切断方法において、
前記ゲート部と軸部の先部挿入部との間、或いはランナ部に接する軸部の先端部との間を、レーザ照射装置による照射光で溶融切断するようにした、
ことを特徴とする帆立貝養殖用の係止ピンの切断方法。
【請求項３】
前記レーザ照射装置はレーザプリンタ用のレーザ照射装置であり、
前記ランナ部は棒状で平行二条備え、前記軸部は二条のランナ部間に両端部の先部挿入部で前記ランナ部から直角に分岐したゲート部を介して連結されていて、或いはランナ部と接し連結されていて、梯子状であり、前記各ゲート部と軸部の先部挿入部との間を、或いはランナ部と接する軸部の先端部との間をレーザ照射部から照射されるレーザ光で溶融切断するようにしたことを特徴とする請求項１又は２記載の帆立貝養殖用の係止ピンの切断方法。
【請求項４】
前記レーザ照射装置はレーザプリンタ用のレーザ照射装置であり、
前記ランナ部は棒状で一条であり、前記ランナ部から直角に分岐したゲート部と軸部の先部挿入部との間を、或いはランナ部に接する軸部の先端部との間を、レーザ照射部から照射されるレーザ光で溶融切断するようにした、
ことを特徴とする請求項２記載の帆立貝養殖用の係止ピンの切断方法。
【請求項５】
前記レーザ照射装置による照射文様は、プリンタ用記号コード中の「＜」形であることを特徴とする請求項１〜４何れか１項に記載の帆立貝養殖用の係止ピンの切断方法。
【請求項６】
前記レーザ照射装置による照射文様は、プリンタ用記号コード中の「（」形であることを特徴とする請求項１〜４何れか１項に記載の帆立貝養殖用の係止ピンの切断方法。
【請求項７】
ランナ部と、このランナ部から直角に分岐したゲート部と、このゲート部の先に設けられる軸部とからなり、或いは、ランナ部に直接設けられた軸部とからなり、
この軸部の少なくとも一端部に帆立貝耳片に穿孔した耳吊り孔への先部挿入部を有し、軸部の先部挿入部の軸内方部に、周方向に突出する帆立貝係止部を有し、軸部には周方向に突出するロープ抜止係止部を有し、全一体に樹脂成形された帆立貝養殖用の係止ピンであって、
前記ゲート部と軸部の先部挿入部との間を、或いはランナ部に直接設けられた軸部との間を、レーザ照射装置による照射光で溶融切断し、
切断された前記先部挿入部の先端形状を、舳先状の先端部とした、
ことを特徴とする帆立貝養殖用の係止ピン。
【請求項８】
ランナ部と、このランナ部から直角に分岐したゲート部と、このゲート部の先に設けられる軸部とからなり、或いは、ランナ部に直接設けられた軸部とからなり、
この軸部の両端部に帆立貝耳片に穿孔した耳吊り孔への先部挿入部を有し、軸部の先部挿入部の各軸内方部に、周方向に突出する一対の帆立貝係止部を有し、軸部の長さ方向中間部に周方向に突出する一対のロープ抜止係止部を有し、全一体に樹脂成形された帆立貝養殖用の係止ピンであって、
前記ゲート部と軸部の先部挿入部との間を、或いはランナ部に直接設けられた軸部との間を、レーザ照射装置による照射光で溶融切断し、
切断された前記先部挿入部の先端形状を、舳先状の先端部とした、
ことを特徴とする帆立貝養殖用の係止ピン。
【請求項９】
前記ランナ部は棒状で平行に二条備え、前記軸部は二条のランナ部間に両端部の先部挿入部で前記ランナ部から直角に分岐したゲート部を介して連結されていて、或いは直角に接し連結されていて梯子状であり、軸部の両端部のゲート部を溶融切断して軸部の両端部を舳先状の先端部としたことを特徴とする請求項９記載の帆立貝養殖用の係止ピン。
【請求項１０】
前記ランナ部は棒状で一条であり、前記軸部は前記ランナから直角に分岐したゲート部を介して先部挿入部の一端部と連結されており、或いは直角に接し連結されており、軸部の一端部のゲート部を、或いはランナ部に直接設けられた軸部の先端部を溶融切断して軸部の一端部を舳先状の先端部としたことを特徴とする請求項９記載の帆立貝養殖用の係止ピン。
【発明の詳細な説明】
【技術分野】
【０００１】
本発明は、帆立貝養殖用係止ピンの先端部をランナ部から切断する切断方法及び切断で得られた帆立貝養殖用係止ピンに関するものである。
【背景技術】
【０００２】
帆立貝の養殖に際し、係止ピンをロープに通し、係止ピンの先端部に設けた係止部に帆立貝の稚貝の耳片の穿孔部に通し、海中にロープを垂らし、帆立貝を養殖する係止ピンは実用に供されている（例えば、特許文献１（図１２、図１３）参照）。
帆立貝の耳吊式養殖を、図２５、図２６で説明する。
樹脂製の係止ピン１０１を、ロープ１００に貫通穿設した保持孔１００ａを介して通し、係止ピン１０１の両端部に、帆立貝（稚貝）１０２の耳片１０２ａに設けた係止孔を介して吊り下げ掛止し、図２４のようにロープ１００に多数の帆立貝１０２…（…は複数を表す。以下同じ）を掛止し、海中に垂らして養殖を行うものである。
例えば、径が６〜８ｍｍ、長さが１０〜１５ｍのロープに６４ｍｍの係止ピンを１００〜１３０ｍｍピッチで通し、両端部に帆立貝を掛止する。
係止ピン１０１は、両持式では、軸部１０１ａ両端部に尖鋭な挿入部１０１ｂ，１０１ｂを有し、これの軸方向内側に軸方向内方且つ径方向外方に突出した係止片１０１ｃ，１０１ｃを有し、軸部１０１ａの中央部には「ハ」形にロープ抜け止め片１０１ｄ，１０１ｄを有する軸状体である。
【先行技術文献】
【特許文献】
【０００３】
【特許文献１】特開２００３−２８９７３４号公報
【０００４】
図１７は、帯状に成形された帆立貝養殖用係止ピンの切断前の状態を示す図であり、帯状体１１０は、両側のランナ部１１１，１１２、この間に左右のゲート部１１３，１１４で連結された多数の係止ピン１０１…からなる。
係止ピン１０１…は、ランナ部１１１，１１２間に所定ピッチで相互に平行に設けられている。
【０００５】
係止ピン１０１…は、細長い軸部１０１ａの両端部に挿入部１０１ｂ，１０１ｂを有し、挿入部１０１ｂ，１０１ｂの軸方向内方部位に図の上方に帆立貝の耳部を係止する係止片１０１ｃ，１０１ｃを備える。
軸部１０１ａの長さ方向中間部には、係止片１０１ｃ，１０１ｃと同方向に突出する、ロープ抜止片１０１ｄ，１０１ｄを「ハ」字形に突設されている。
以上の帯状体１１０は、ランナ部１１１，１１２、ゲート部１１３，１１４、軸部１０１ａ…を平行とした多数の係止ピン１０１…を含んで樹脂の射出成形により全一体に成形されている。
【０００６】
以上の帯状体の素材としては、係止ピンとして用いた場合、帆立貝を係止して海中に侵浸した際、海中で水分を吸収し、これにより少し柔らかくなり、また、伸ばすと約３倍程度延伸する６６ナイロン等が用いられている。
以上の帯状体１１０は、軸部１０１ａの端部の挿入部１０１ｂとランナ部１１１，１１２との間を繋ぐゲート部１１３，１１４の部分で切断する。
切断はカッターでなされ、Ｃは切断線を示す。
尚、図では「ハ」字形のロープ抜止片１０１ｄ，１０１ｄと隣接するものの軸部との間を連結部１０１ｅ，１０１ｅで連結しているので、この部分もカッターで切断し、係止ピン単体を構成する。
【０００７】
図１８は、帯状体から切り離した係止ピン１０１の単体を示し、係止ピンは、例えば全長が６５〜６７ｍｍであり、最も径が大きい軸部の直径は１．４〜１．８ｍｍである。
図１５に示した帯状体では、両端部を夫々丸く成形しても、ランナ部１１１，１１２からゲート部１１３，１１４を介してカッターで切り離した際、ゲート部１１３，１１４から軸内方に偏寄して切断されて角張った端面形状となったり、切断時にゲート部１１３，１１４の一部が残留したりする。
図１８は、先端部の挿入部端面１０１ｆが角張った端面形状の状態を示し、図１９は、先端部にゲート部の残留片が突起の状態で残留した状態を示す。
【０００８】
以上の軸部先端部とランナ部との間を、ゲート部でカッターにより切り離し、係止ピン単体を得るものであるが得られた係止ピンの先端部は、カッターによる切断で、前述のように軸内方に偏寄して切断されて角張った端面形状となったりする。
これは、係止ピンを含む帯状体が可撓性を有しており、切断に際し撓み、切断線がずれたりする場合があるためである。
また、切断に際し、鋭利な刃物で切断したとしても、係止ピン先端部が不可避的に切断方向に垂れが生じたり、ゲート部の残留片がヒゲ状となって残留したり、また、切断端面は狭く小さいものではあるが、ザラザラした粗い粗面状態となることは避けられない。
【発明の概要】
【発明が解決しようとする課題】
【０００９】
図２０〜図２２は、本発明が解決しようとする課題を示した説明図である。
図２０は、二枚通し穿孔の例で、帆立貝の稚貝１０２の左殻、右殻１０２ａ，１０２ｂの耳片部分１０２ｃ，１０２ｄを上下に重ね合わせてドリルで二枚通し穿孔し、これにより、上下に係止孔１０２ｅ，１０２ｆが形成される。
ドリルで二枚通しで穿孔する際、稚貝の殻が外方に膨出した形状であることや、表面に凹凸条を有すること等から、穿孔に際し姿勢が変化する虞があり、上下の係止孔１０２ｅ，１０２ｆの位置がズレて不一致となることが多い。
ところで、稚貝の耳片の係止孔は、例えば１．５〜１．９ｍｍであって、極めて小径である。
【００１０】
この状態で、係止ピン１０１の挿入部１０１ｂの角張った端面形状の先端部端面１０１ｆが係止孔１０２ｅ，１０２ｆに挿入される。
図では，上の係止孔１０２ｅに挿入部１０１ｂが挿入され、続いて、下の係止孔１０２ｆに挿入部１０１ｂが挿入される。
この下側の係止孔１０２ｆへの矢印ａのように上からの挿入に際し、上側の係止孔１０２ｅの位置と下側の係止孔１０２ｆの位置が一致しないため、角張った先端部１０１ｆが係止孔１０２ｆの周辺部に当接し、孔周辺部に当たって係止孔１０２ｆに挿入することができない。
【００１１】
このため、挿入部１０１ｂを含んで係止ピン１０１を矢印ｂ，ｃのように揺すったり、曲げ方向に変形させて係止孔周辺部をなぞり、挿入部１０１ｂを、強制的に掛止孔１０２ｆ内に挿入している。
揺すったりする際に、挿入部１０１ｂの先端部端面１０１ｆが、垂れていたり、ヒゲ状の切断残留片が残留していたり、断端面がザラザラした粗い粗面状態であることもあって、稚貝の耳片の穿設した係止孔への係止ピンの挿入作業は難しい。
【００１２】
特に、帆立貝稚貝の係止孔は１．５〜１．９ｍｍであり、係止ピンの直径は１．４〜１．８ｍｍであり、先端部の端面が角張った形状であり、且つ先端部が垂れていたり、ヒゲがあったり、粗い粗面状態の先端部を、係止孔をなぞり、挿入するのには、高い熟練が必要であり、また、年齢とともに弱る視力では、係止ピンの係止孔への挿入作業は困難な作業となり、トータルとして係止ピンの係止孔挿入の円滑を阻害し、作業効率が低下する。
この事情は、図２１に示した一枚通し穿設でも同様であり、先端部端面１０１ｆがざらついたりしており、且つ角張っていて、係止ピン１０１の先端部の挿入部１０１ｂの係止孔１０２ｅへの挿入に際し、矢印ｂ，ｃ方向に揺すりながら矢印ａ方向に挿入する必要があり、熟練を要し、且つ作業が面倒であり、作業の円滑を阻害し、作業効率が低下する。
【００１３】
また、図２５、図２６で説明したように、帆立貝の養殖は、海中に縦向きに吊り下げられるロープ１００に、これと直交するように貫通・横断するように、多数の係止ピン１０１…をロープの長さ方向に所定間隔で係止・保持させ、係止ピンの両端部に、帆立貝を、その耳片を貫通させて係止することで係止、保持させて行われるが、ロープ１００には、事前にドリルで穿孔しておき、係止ピン１０１を保持孔１００ａに挿入する。
しかしながら、係止ピン１０１の先端部端面１０１ｆが角張っており、保持孔１００ａは捩った繊維体に穿孔することから内周面に絡んだ繊維材が露出していたりして、係止ピンの先端部が引っ掛かり、これ亦ロープの保持孔への係止ピンの円滑な挿入が阻害され、上記と同様の不都合が生じている。
これを図２２で示した。
【００１４】
図２３は、帯状体１２０を成形するに際し、ランナ部１２２を一条とした例で、係止ピン１０１の一端部のみをゲート部１２３で一条のランナ部１２３に連結しており、他端部はゲート部で連結されていないので、半球状のまま成形される。
従って、図２４に示したように、ランナ部の無い端部１０１ｇは半球状ではあるが、ランナ部１２２を有する先端部１０１ｈはゲート部１２３で連結されているので、上記したと同様に切断する必要があり、片側の先端部は、上記と同様に角張ったり、垂れ、ヒゲ、粗い粗面となり、一端部の挿入に際し、上記と同様の不都合がある。
【００１５】
本発明は、以上の課題を解決すべくなされたもので、その目的とする処は、帆立貝係止ピンの挿入部の先端部の切断で生じる角張った挿入部、先端面の垂れ、ヒゲ、粗い粗面等を無くし、挿入部を略々半円形に、また、垂れやヒゲ、粗面を無くして表面が滑面となるようにした係止ピンを得ることができ、帆立貝の稚貝耳片への係止ピンの係止、従って係止孔へ係止ピン挿入部の挿入を円滑、容易化し、帆立貝養殖作業における係止ピンの装着作業の円滑、容易化、効率化を図り得るようにした帆立貝養殖用の係止ピンの切断方法及び養殖帆立貝の係止ピンを提供することにある。
【課題を解決するための手段】
【００１６】
上記課題を解決するために、本発明の請求項１に係る発明は、ランナ部と、このランナ部から分岐したゲート部と、このゲート部の先に設けられた軸部とからなり、或いは、ランナ部に直接設けられた軸部とからなり、この軸部の少なくとも一端部に、帆立貝耳片に穿孔した耳吊り孔への先部挿入部を有し、軸部の先部挿入部の軸内方部に、周方向に突出する帆立貝係止部を有し、軸部には周方向に突出するロープ抜止係止部を有し、全一体に樹脂成形された帆立貝養殖用の係止ピンであって、この係止ピンをゲート部、或いはランナ部に接する軸部の先端部から切断する帆立貝養殖用の係止ピンの切断方法において、ゲート部と軸部の先部挿入部との間、或いはランナ部に接する軸部の先端部との間を、レーザ照射装置による照射光で溶融切断するようにしたことを特徴とする。
【００１７】
請求項２に係る発明は、ランナ部と、このランナ部から分岐したゲート部と、このゲート部の先に設けられた軸部とからなり、或いは、ランナ部に直接設けられた軸部とからなり、この軸部の両端部に、帆立貝耳片に穿孔した耳吊り孔への先部挿入部を有し、軸部の先部挿入部の軸内方部に、周方向に突出する一対の帆立貝係止部を有し、軸部の長さ方向中間部に周方向に突出する一対のロープ抜止係止部を有し、全一体に樹脂成形された帆立貝養殖用の係止ピンであって、この係止ピンをゲート部、或いはランナ部に接する軸部の先部挿入部との間から切断する帆立貝養殖用の係止ピンの切断方法において、ゲート部と軸部の先部挿入部との間、或いはランナ部に接する軸部の先端部との間を、レーザ照射装置による照射光で溶融切断するようにしたことを特徴とする。
【００１８】
請求項３に係る発明は、レーザ照射装置はレーザプリンタ用のレーザ照射装置であり、ランナ部は棒状で平行二条備え、軸部は二条のランナ部間に両端部の先部挿入部でランナ部から直角に分岐したゲート部を介して連結されていて、或いはランナ部と接し連結されていて、梯子状であり、各ゲート部と軸部の先部挿入部との間を、或いはランナ部と接する軸部の先端部との間をレーザ照射部から照射されるレーザ光で溶融切断するようにしたことを特徴とする。
【００１９】
請求項４に係る発明は、レーザ照射装置はレーザプリンタ用のレーザ照射装置であり、ランナ部は棒状で一条であり、ランナ部から直角に分岐したゲート部と軸部の先部挿入部との間を、或いはランナ部とに接する軸部の先端部との間をレーザ照射部から照射されるレーザ光で溶融切断するようにしたことを特徴とする。
【００２０】
請求項５に係る発明は、レーザ照射装置による照射文様は、プリンタ用記号コード中の「＜」形であることを特徴とする。
【００２１】
請求項６に係る発明は、レーザ照射装置による照射文様は、プリンタ用記号コード中の「（」形であることを特徴とする。
【００２２】
請求項７に係る発明は、ランナ部と、このランナ部から直角に分岐したゲート部と、このゲート部の先に設けられる軸部とからなり、或いは、ランナ部に直接設けられた軸部とからなり、この軸部の少なくとも一端部に帆立貝耳片に穿孔した耳吊り孔への先部挿入部を有し、軸部の先部挿入部の軸内方部に、周方向に突出する帆立貝係止部を有し、軸部には周方向に突出するロープ抜止係止部を有し、全一体に樹脂成形された帆立貝養殖用の係止ピンであって、ゲート部と軸部の先部挿入部との間を、或いはランナ部に直接設けられた軸部との間を、レーザ照射装置による照射光で溶融切断し、切断された先部挿入部の先端形状を、舳先状の先端部としたことを特徴とする。
【００２３】
請求項８に係る発明は、ランナ部と、このランナ部から直角に分岐したゲート部と、このゲート部の先に設けられる軸部とからなり、或いは、ランナ部に直接設けられた軸部とからなり、この軸部の両端部に帆立貝耳片に穿孔した耳吊り孔への先部挿入部を有し、軸部の先部挿入部の各軸内方部に、周方向に突出する一対の帆立貝係止部を有し、軸部の長さ方向中間部に周方向に突出する一対のロープ抜止係止部を有し、全一体に樹脂成形された帆立貝養殖用の係止ピンであって、ゲート部と軸部の先部挿入部との間を、或いはランナ部に直接設けられた軸部との間を、レーザ照射装置による照射光で溶融切断し、切断された先部挿入部の先端形状を、舳先状の先端部としたことを特徴とする。
【００２４】
請求項９に係る発明は、ランナ部は棒状で平行に二条備え、軸部は二条のランナ部間に両端部の先部挿入部でランナ部から直角に分岐したゲート部を介して連結されていて、或いは直角に接し連結されていて梯子状であり、軸部の両端部のゲート部を溶融切断して軸部の両端部を舳先状の先端部としたことを特徴とする。
【００２５】
請求項１０に係る発明は、ランナ部は棒状で一条であり、軸部はランナから直角に分岐したゲート部を介して先部挿入部の一端部と連結されており、或いは直角に接し連結されており、軸部の一端部のゲート部を、或いはランナ部に直接設けられた軸部の先端部を溶融切断して軸部の一端部を舳先状の先端部としたことを特徴とする。
【発明の効果】
【００２６】
請求項１に係る発明では、ランナ部と、このランナ部から分岐したゲート部と、このゲート部の先に設けられた軸部とからなり、或いは、ランナ部に直接設けられた軸部とからなり、この軸部の少なくとも一端部に、帆立貝耳片に穿孔した耳吊り孔への先部挿入部を有し、軸部の先部挿入部の軸内方部に、周方向に突出する帆立貝係止部を有し、軸部には周方向に突出するロープ抜止係止部を有し、全一体に樹脂成形された帆立貝養殖用の係止ピンであって、この係止ピンをゲート部、或いはランナ部に接する軸部の先端部から切断する帆立貝養殖用の係止ピンの切断方法において、ゲート部と軸部の先部挿入部との間、或いはランナ部に接する軸部の先端部との間を、レーザ照射装置による照射光で溶融切断するようにしたので、カッターによる切断を不要とし、特に軸部先端とゲート部、或いはランナ部に接する軸部の先端部との間をレーザ光で溶融切断するので、切断された軸部先端部（挿入部先端部）は溶融され、溶融後凝固してつるつるの滑面となり、切断と先端部（挿入部先端部）の滑面処理が同時になされ、帆立貝の係止孔への挿入を容易に、円滑に行うことができる係止ピンを得ることができる。
従って、帆立貝係止孔への係止ピンの先部挿入部の挿入を円滑、容易化に行うことができ、帆立貝養殖作業における係止ピンの装着作業の円滑、容易化、効率化を図ることができる。
また本発明では、係止ピンの切断と係止ピンの先端部の整形を同時に達成することが可能な養殖帆立貝の係止ピンの切断方法を得ることができる。
特に本発明では、レーザ光で溶融切断するようにしたので、広がらない直進性のあるレーザ光による照射で切断するので、正確にランナ部を切断溶融することができる。
【００２７】
請求項２に係る発明では、ランナ部と、このランナ部から分岐したゲート部と、このゲート部の先に設けられた軸部とからなり、或いは、ランナ部に直接設けられた軸部とからなり、この軸部の両端部に、帆立貝耳片に穿孔した耳吊り孔への先部挿入部を有し、軸部の先部挿入部の軸内方部に、周方向に突出する一対の帆立貝係止部を有し、軸部の長さ方向中間部に周方向に突出する一対のロープ抜止係止部を有し、全一体に樹脂成形された帆立貝養殖用の係止ピンであって、この係止ピンをゲート部、或いはランナ部に接する軸部の先部挿入部との間から切断する帆立貝養殖用の係止ピンの切断方法において、ゲート部と軸部の先部挿入部との間、或いはランナ部に接する軸部の先端部との間を、レーザ照射装置による照射光で溶融切断するようにしたので、カッターによる切断を不要とし、特に軸部の両端の先端部とゲート部との間、或いはランナ部に接する軸部の先端部との間を、レーザ光で溶融切断するので、切断された軸部先端部（両端の挿入部先端部）は溶融され、溶融後凝固してつるつるの滑面となり、切断と先端部（両端の挿入部先端部）の滑面処理が同時になされ、帆立貝の係止孔への挿入を容易に、円滑に行うことができる係止ピンを得ることができる。
従って、帆立貝係止孔への係止ピン挿入部の挿入を円滑、容易化に行うことができ、帆立貝養殖作業における係止ピンの装着作業の円滑、容易化、効率化を図ることができる。
また本発明では、切断と係止ピンの先端部の整形を同時に達成することが可能な養殖帆立貝の係止ピンの切断方法を得ることができる。
特に本発明では、レーザ光で溶融切断するようにしたので、広がらない直進性のあるレーザ光による照射で切断するので、正確にランナ部を切断溶融することができる。
【００２８】
請求項３に係る発明では、レーザ照射装置はレーザプリンタ用のレーザ照射装置であり、ランナ部は棒状で平行二条備え、軸部は二条のランナ部間に両端部の先部挿入部でランナ部から直角に分岐したゲート部を介して連結されていて、或いはランナ部と接し連結されていて、梯子状であり、各ゲート部と軸部の先部挿入部との間を、或いはランナ部と接する軸部の先端部との間をレーザ照射部から照射されるレーザ光で溶融切断するようにしたので、広がらない直進性のあるレーザ光による照射で切断するので、正確にランナ部、或いはランナ部と接する軸部の先端部との間を切断溶融することができることと併せ、照射装置として、既存のレーザプリンタを用いることで、レーザ光照射部を特別に設計する必要が無く、溶融切断装置を安価に、簡易に得ることができる。
【００２９】
請求項４に係る発明では、レーザ照射装置はレーザプリンタ用のレーザ照射装置であり、ランナ部は棒状で一条であり、ランナ部から直角に分岐したゲート部と軸部の先部挿入部との間を、或いはランナ部とに接する軸部の先端部との間をレーザ照射部から照射されるレーザ光で溶融切断するようにしたので、広がらない直進性のあるレーザ光による照射で切断するので、正確にランナ部、或いはランナ部とに接する軸部の先端部との間を切断溶融することができることと併せ、照射装置として、既存のレーザプリンタを用いることで、レーザ光照射部を特別に設計する必要が無く、溶融切断装置を安価に、簡易に得ることができる。
【００３０】
請求項５に係る発明では、レーザ照射装置による照射文様は、プリンタ用記号コード中の「＜」形としたので、既存のプリンタ用記号コード中の記号を用いて正確に係止ピンの先端部を溶融切断することができ、係止ピンの挿入し易い先端部の切断、整形を実現することができる。
【００３１】
請求項６に係る発明では、レーザ照射装置による照射文様は、プリンタ用記号コード中の「（」形としたので、既存のプリンタ用記号コード中の記号を用いて正確に係止ピンの先端部を溶融切断することができ、係止ピンの挿入し易い先端部の切断、整形を実現することができる。
【００３２】
請求項７に係る発明では、ランナ部と、このランナ部から直角に分岐したゲート部と、このゲート部の先に設けられる軸部とからなり、或いは、ランナ部に直接設けられた軸部とからなり、この軸部の少なくとも一端部に帆立貝耳片に穿孔した耳吊り孔への先部挿入部を有し、軸部の先部挿入部の軸内方部に、周方向に突出する帆立貝係止部を有し、軸部には周方向に突出するロープ抜止係止部を有し、全一体に樹脂成形された帆立貝養殖用の係止ピンであって、ゲート部と軸部の先部挿入部との間を、或いはランナ部に直接設けられた軸部との間を、レーザ照射装置による照射光で溶融切断し、切断された先部挿入部の先端形状を、舳先状の先端部としたので、切断された軸部先端部（挿入部先端部）は溶融されてつるつるの舳先状の溶融後凝固した滑面となり、係止ピンの帆立貝の係止孔への挿入を容易に、円滑に行うことができる。
これにより、帆立貝係止孔への係止ピン挿入部の挿入を円滑、容易に行うことができ、帆立貝養殖作業における係止ピンの装着作業の円滑、容易化、効率化を図ることができる。
【００３３】
請求項８に係る発明では、ランナ部と、このランナ部から直角に分岐したゲート部と、このゲート部の先に設けられる軸部とからなり、或いは、ランナ部に直接設けられた軸部とからなり、この軸部の両端部に帆立貝耳片に穿孔した耳吊り孔への先部挿入部を有し、軸部の先部挿入部の各軸内方部に、周方向に突出する一対の帆立貝係止部を有し、軸部の長さ方向中間部に周方向に突出する一対のロープ抜止係止部を有し、全一体に樹脂成形された帆立貝養殖用の係止ピンであって、ゲート部と軸部の先部挿入部との間を、或いはランナ部に直接設けられた軸部との間を、レーザ照射装置による照射光で溶融切断し、切断された先部挿入部の先端形状を、舳先状の先端部としたので、切断された軸部先端部（挿入部先端部）は溶融後凝固されてつるつるの舳先状の滑面となり、係止ピンの帆立貝の係止孔への挿入を容易に、円滑に行うことができる。
これにより、帆立貝係止孔への係止ピン挿入部の挿入を円滑、容易化に行うことができ、帆立貝養殖作業における係止ピンの装着作業の円滑、容易化、効率化を図ることができる。
【００３４】
請求項９に係る発明では、ランナ部は棒状で平行に二条備え、軸部は二条のランナ部間に両端部の先部挿入部でランナ部から直角に分岐したゲート部を介して連結されていて、或いは直角に接し連結されていて梯子状であり、軸部の両端部のゲート部を溶融切断して軸部の両端部を舳先状の先端部としたので、切断された軸部両端部（挿入部先端部）は、溶融後凝固されてつるつるの舳先状の滑面となり、係止ピンの帆立貝の係止孔への挿入を容易に、円滑に行うことができる。
これにより、帆立貝係止孔への係止ピン挿入部の挿入を円滑、容易化に行うことができ、帆立貝養殖作業における係止ピンの装着作業の円滑、容易化、効率化を図ることができる。
【００３５】
請求項１０に係る発明では、ランナ部は棒状で一条であり、軸部はランナから直角に分岐したゲート部を介して先部挿入部の一端部と連結されており、或いは直角に接し連結されており、軸部の一端部のゲート部を、或いはランナ部に直接設けられた軸部の先端部を溶融切断して軸部の一端部を舳先状の先端部としたので、切断された軸部の当該端部（挿入部先端部）は、溶融後凝固されてつるつるの舳先状の滑面となり、係止ピンの帆立貝の係止孔への挿入を容易に、円滑に行うことができる。
これにより、帆立貝係止孔への係止ピン挿入部の挿入を円滑、容易化に行うことができ、帆立貝養殖作業における係止ピンの装着作業の円滑、容易化、効率化を図ることができる。
【図面の簡単な説明】
【００３６】
【図１】本発明に係る切断方法を示す要部拡大図である。
【図２】レーザ光による切断後の状態を示す要部の図である。
【図３】レーザ照射装置の一例で、要部を示す斜視図である。
【図４】レーザ光よる切断パターンを示す図である。
【図５】ランナ部が一条の帯状体をレーザ光で溶融切断する例の図である。
【図６】図５の溶融切断後の状態を示す図である。
【図７】溶融切断後の係止ピンの挿入部の側面図である。
【図８】溶融切断した係止ピンの挿入部の先端部の拡大斜視図である。
【図９】本発明に係る切断方法で得られた係止ピンを二枚通し穿孔のホタテ貝の耳片係止孔に挿入する要部拡大断面図である。
【図１０】図９の状態から耳片係止孔への挿入が更に進んだ状態の要部拡大断面図である。
【図１１】本発明に係る切断方法で得られた係止ピンを一枚通し穿孔のホタテ貝の耳片係止孔に挿入する要部拡大断面図である。
【図１２】ロープへ係止ピン挿入部を挿入する説明断面図である。
【図１３】係止ピンの他の実施例を示し、帯状体の一部を示す図である。
【図１４】図１３の実施例に係る係止ピンを溶融切断し、係止ピン単体を示す図である。
【図１５】ランナ部と係止ピン軸部とが直接接して連結されて帯状体を形成した実施例の要部の拡大図である。
【図１６】図１５の帯状体の他の実施例の要部の拡大図である。
【図１７】帯状に成形された帆立貝養殖用係止ピン（二条のランナ部を有する帯状体）の切断前の状態を示す図である。
【図１８】切断後の係止ピン単体を示す図であり、先端部の挿入部端面が角張った端面形状の状態を示す図である。
【図１９】係止ピンの先端部に、切断後のゲート部の残留片が突起の状態で残留した状態を示す図である。
【図２０】本発明が解決しようとする課題を示した説明図であり、ホタテ貝の耳片の穿孔し、係止ピンを挿入する二枚通し穿孔の例の要部拡大断面図である。
【図２１】耳片への一枚通しの穿孔により係止ピンを挿入する例の要部拡大断面図である。
【図２２】ロープへ係止ピンを挿入する際の課題を示す要部拡大断面図である。
【図２３】ゲート部を一条とした帯状体の切断前の状態を示す図である。
【図２４】図２１の要部の拡大図である。
【図２５】耳吊式帆立貝養殖状態を示す要部の拡大図である。
【図２６】図２３の全体図の要部を示す図である。
【発明を実施するための形態】
【００３７】
本発明の実施の形態を添付図に基づいて以下に説明する。なお、図面は符号の向きに見るものとする。
図１は、本発明に係る切断方法を示す要部拡大図、図２は、切断後の状態を示す要部の図、図３はレーザ照射装置の一例で、要部を示す斜視図、図４は、レーザ光による切断パターンを示す図である。
図１は、前記した図１６と同様の帯状体の一部の部分を示した図で、帯状体１は、両側の平行する二条のランナ部２，２（図２も参照）間に係止ピンの軸部４の両端部４ａ，４ａがゲート部３，３を介して連結されている。
【００３８】
この軸部４の両端部４ａ，４ａは後述するように溶融切断され、切断後に先部挿入部５，５を形成する。
軸部４の両端部４ａ，４ａの軸方向内方部に、径方向外方且つ軸方向内方に対称的に傾斜して突出する係止片６，６（帆立貝係止部）が一体的に突設されている（図２も参照）。
軸部４の長さ方向中間部には、径方向外方に「ハ」形にロープ抜止片７，７（ロープ係止部）が突設され、ロープ抜止片７，７間の間隔はロープの径と略々一致する。
【００３９】
以上において、軸部４の両端部４ａ，４ａとゲート部３，３間にレーザ照射装置によりレーザ光１１，１１を照射し（図２も参照）、軸部４の両端部４ａ，４ａをゲート部３，３から溶融切断する。
これにより、挿入部５，５の軸方向内方に「∠」形に突出する係止片５，５を有する係止ピン８を得る。
【００４０】
ところで、レーザ照射装置としては、実施形態ではレーザプリンタのレーザ光照射部を用いた。
図３に示すようにレーザ光照射部１２から既存のプリンタ用記号コード中の記号を用い、例えば、図１、図２では、図３に示した「＜」形のレーザ光を軸部４の両端部４ａ，４ａとゲート部３，３の境界部に照射し、境界部を「＜」形のレーザ光で溶融切断する。
【００４１】
図４は、レーザ光よる切断パターンを示す図で、（ａ）、（ｂ）は「＜」、「＞」形の記号、（ｃ）、（ｄ）は「（」、「）」形の記号である。
図２に示したように、二条のランナ部２，２と軸部４の両端部４ａ，４ａとの間を、「＜」、或いは「（」形のレーザ光の照射で切断し、軸部両端部４ａ，４ａに挿入部５，５を溶融切断して形成する。
プリンタ用記号コード中の記号は、上記「＜」、「＞」形、に限られず任意である。
【００４２】
図２は、二条のランナ部２，２を有する形式の帯状体のゲート部３，３と軸部４の両端部４ａ，４ａとを「＜」、「＞」形に溶融切断し、係止ピン８を形成した例を示す。
図５は、帯状体のランナ部２が一条であり、ゲート部３が軸部４の一端部４ｃのみに連結するように有しており、軸部４の一端部４ｃとゲート部３との間を「＜」形のレーザ光１１で溶融切断し、これを図６で示し、係止ピン８を得る。
図５、図６の実施例では、軸部４の他端部４ｄはランナ部は勿論ゲート部も有せず、挿入部５Ａは既に滑らかに、例えば、半球状に成形されている。
以上の溶融切断により、係止ピン８の単体を形成する。
【００４３】
図７は、溶融切断後の係止ピン８の挿入部の側面図、図８は、溶融切断した係止ピン８の挿入部５の先端部の拡大斜視図である。
実施例は、上記した「＜」、「＞」形のレーザ光の照射で溶融切断した例であり、レーザ光の照射で前記した先端部（両端部）４ａは溶融切断され、ゲート部３と端部４ａとの接続部は上方から「＜」、「＞」形のレーザ光により焼き切られる。
溶融切断された先端部５ａを形成する切断面５ｂは「＜」形、又は「（」形に倣って溶融した形状であり、レーザ光が上方から照射されていることから、少なくとも平面視で舳先状となる。
【００４４】
レーザ照射光は上方から直進性をもって照射され、先端部の照射部位とラップする部位は溶融によって外端面方向になだらかに傾斜して溶け、図８の５ｃで示したように前下方に若干傾斜して垂れる。
舳先状となった挿入部５の先端部５ａは、その両側面（切断面）、上下面ともに溶融切断でつるつるとなって滑面となる。
従って、刃物切断によって生じる剪断による斜め方向の切断タレや切断後に残留するヒゲ、或いは切断面はギザギザとなって粗い粗面が形成されることは無い。
【００４５】
従って、レーザ光照射によって得られた係止ピン８の先端部の挿入部５の先端部５ａは、舳先状を呈し、且つ切断面を含む表面はつるつるの滑面となり、挿入部５の先端部５ａの外表面に、斜め方向の切断タレ、ヒゲ、ギザギザの粗い粗面は形成されることは無い。
【００４６】
ところで、実際のレーザプリンタのレーザ照射部による切断作業であるが、図１の矢印Ｘ方向に帯状体１を移動させ、図の上方から、レーザ照射部に臨んだ軸部４の先端部４ａとゲート部３の境界部に「＜」形のレーザ光を照射し、溶融切断する。
これにより、図２、図６で示したように係止ピン８を得る。
【００４７】
図９は、稚貝の係止孔に係止ピンの先端部（先部挿入部）を挿入する説明図で、二枚通し掛止孔の例を示す図であり、上側の耳片の係止孔への挿入を示す図であり、図１０は、図９の状態から、下側の掛止孔へ先端部が挿入する図である。
帆立貝の稚貝２０は、図の上下に示した殻２１，２２を備え、図の上下の殻２１，２２の耳片２１ａ，２２ａに係止孔（耳吊り孔）を穿設する。
図９、図１０の実施例では、稚貝２０の生育が十分ではなく、外形が小さいものの例である。この例では、上下の耳片２１ａ，２２ａを通して係止孔２３．２４が穿設されている。
【００４８】
上側の耳片２１ａに設けた係止孔２３の上方から、係止ピン８を、その軸線が直交する方向で臨ませ、挿入部５の先端部５ａを挿入する。
挿入部５の先端部５ａの挿入時に、係止孔２３と先端部５ａとのセンターが、完全に一致せず、係止孔周辺部近くに侵入したとしても、先端部５ａは、舳先状を呈し、且つ切断面を含む表面はつるつるの滑面となり、また、溶融で半球状でもあり、係止孔２３に抵抗無く、無理なく、円滑に侵入することとなる。
【００４９】
続いて、下の耳片２２ａの係止孔２４に係止ピン８の先端部５ａが侵入するが、係止孔２４が、上の係止孔２３に対して完全に一致せず、孔間にズレがあったとしても、先端部５ａが上記したように舳先状を呈し、且つ切断面を含む表面はつるつるの滑面となり、また、溶融で半球状でもあり、係止孔２４に抵抗無く、無理なく、円滑に侵入することとなる。
【００５０】
このように、挿入部５の先端部５ａは、舳先状を呈し、且つ切断面を含む表面はつるつるの滑面となり、また、溶融で半球状でもあり、上下の係止孔２３，２４に、上から抵抗無く、無理なく、円滑に侵入することとなる。
従って、係止ピンへの稚貝の係止孔への挿入、係止、装着作業が円滑に、容易に、短時間でなされることとなる。
従って、作業に熟練を要することなく、また、作業者の視力に大きな負担を掛けることなく、効率良く帆立貝への係止ピンの係止作業を行うことができる。
【００５１】
図１１は、一枚通し係止孔の例を示す図であり、一枚の耳片に設けた係止孔への先端部の挿入を示す図である。
稚貝の生育がある程度進み、帆立貝２０の外形がある程度大きい場合は、一方の耳片に生成される排泄部により、他方の耳片に、外方に突出する部分が形成され、この耳片２５のこの成長部分のみに係止孔２６を設け、これにより係止ピンに係止、装着して帆立貝養殖時に保持することができる。
この場合は、耳片２５の成長部分に係止孔２６を穿設することができる。
【００５２】
この場合においても、係止孔２６に係止ピン８の挿入部５の先端部５ａが上記したように、舳先状を呈し、且つ切断面を含む表面はつるつるの滑面となり、また、溶融で半球状でもあり、係止孔２６に、上から抵抗無く、無理なく、円滑に侵入することとなる。
尚、係止ピンによる一枚通し係止においては、経時的に他方の耳片に形成されている排泄部位（耳片の欠損部）の相当部が成長し、係止ピンを含んで外側から覆い、一枚通し係止部位に係止された係止ピンを強固に保持することとなることを付言する。
【００５３】
図１２は、ロープへ係止ピン挿入部を挿入する説明断面図であり、ロープ３０に係止ピン８の通し孔３１が貫通穿設されており、例えば、挿入部の一端側に帆立貝を係止し、係止ピン８を通し孔３１に通し、挿入部の他端側に帆立貝を係止し、或いは、係止ピン８を事前にロープの通し孔３１に通しておき、両端の挿入部に帆立貝を通す。
この場合において、係止ピン８の挿入部５は、前記したように先端部５ａが舳先状を呈し、且つ切断面を含む表面はつるつるの滑面となり、また、溶融で半球状でもあり、通し孔３１内のドリル穿孔、繊維破断に起因する絡みや引っ掛かることは無く、抵抗無く、無理なく、円滑に通し孔３１に侵入し、且つ通過する。
【００５４】
以上の実施例では、先部挿入部の軸方向内方部位に設けた係止片を「∠」形としたが、後述する図１３、図１４の実施例のように銛状の「＜」形としても良く、係止片の形状は任意である。
【００５５】
図１３及び図１４は係止ピンの他の実施例を示す。
図１３は、他の実施例の帯状体５１を示し、係止ピン５８は、軸部５４、先端部５４ａ、挿入部５５、挿入部５５の手前に実施例では「＜形」で銛状の係止片５６を有する。
軸部５４は挿入部に比しかなり大径であり、後端部に所定長さに亘り大径の抜止部５７が設けられており、左右の平行するランナ部５２，５２と前記先端部５４ａとは、ゲート部５３で連結されており、抜止部５７の後端部とこの側のランナ部５２とは、実施例では細い連結部５４ｂ間で連結されている。
以上の帯状体５１は、前記した帯状体１と同様に、樹脂で全一体に成形されている。
【００５６】
以上において、軸部５４の前記した先端部５４ａとゲート部５３との間にレーザ照射装置によりレーザ光を照射し、軸部５４の先端部５４ａをゲート部５３から溶融切断する。
レーザ光による照射は、前記と同様にレーザプリンタのレーザ光照射とし、照射光は「＜」形のレーザ光とし、これにより先端部５４ａとゲート部５３との間を溶融切断する。
軸部５４の後部の抜止部５７と連結部５４ｂとの切断は、帆立貝の係止孔の挿入、係止に関与していないので、従来のようにカッターでも良いが、連結部５４ｂを軸部５４の先端部５４ａの溶融切断と同様にレーザ光で溶融切断しても良い。この場合は、上記したプリンタ用記号コード中の記号は「＜」形である必要はなく、「ｌ」形等任意であり、要は溶融切断することができれば良い。
【００５７】
図１４は、ランナ部５２，５２から切断した係止ピン５８の単体を示し、係止ピン５８は、軸部５４の一端部のみに挿入部５５を備え、他端部は軸部５４よりも十分に大径の抜止部５７を有し、挿入部５５をロープの通し孔３１に通し、帆立貝の係止孔（図９、図１０、図１１に示した係止孔２３，２４又は２６）に挿入係止し、ロープの通し孔よりも十分に大径の抜止部５７により係止ピン５８はロープに保持されることとなる。
この実施例では、一本の係止ピンに一つの帆立貝が係止、保持される。
尚、図では係止片５６を「＜」形としたが、前記した実施例と同様に「∠」形として良い。
【００５８】
図１５は、ランナ部と係止ピン軸部とが直接接して連結されて帯状体を形成した実施例要部の拡大図である。
ランナ部２と軸部４との間にはゲート部を設けず、軸部４の先端部、即ち、先部挿入部５の先端部５５５を幾分丸くし、丸くした先端部５５５をランナ部２と直接接するように連結したもので、先端部５５５がゲート部を構成するものである。
この先端部５５５とランナ部２との境界部分を前述した手法で溶融切断し、先端部が丸く溶融後凝固した挿入部先端部を形成するものである。
【００５９】
図１６は、図１５の実施例の他の実施例を示す要部の拡大図である。
本実施例は、ランナ部２と軸部４の先端部は、後に先部挿入部を構成する部分５の先に、この部分をそのまま延長した延長部４４を設け、延長部４４を前述した手法で溶融切断し、切断部が丸く溶融後凝固した挿入部先端部を形成するものである。
このように、図１５、図１６のように、軸部の先端部がランナ部と軸部との間のゲート部を構成するようにしたものでも良いことは勿論であり、図１３の実施例においても、軸部５４の先端部５４ａの先にランナ部５３を形成することなく、軸部５４の先端部５４ａをランナ部５２に直接接するように連結した構造でも良いことは勿論である。
【産業上の利用可能性】
【００６０】
本発明に係る係止ピンは、耳吊り式の帆立貝の養殖に利用することができる。
【符号の説明】
【００６１】
１，５１…帯状体、  ２，５２…ランナ部、  ３，５３…ゲート部、  ４，５４…軸部、  ５，５５…係止片、  ７，５７…抜止片（抜止部）、  ８，５８…係止ピン（単体）、  １１…レーザ光、  １２…レーザ光照射部、  ２０…帆立貝、  ２１ａ，２２ａ，２５…耳片、  ２３，２４，２６…係止孔、  ３０…ロープ、  ３１…通し孔。
【図１】
2014018171.tif 000003
【図２】
2014018171.tif 000004
【図３】
2014018171.tif 000005
【図４】
2014018171.tif 000006
【図５】
2014018171.tif 000007
【図６】
2014018171.tif 000008
【図７】
2014018171.tif 000009
【図８】
2014018171.tif 000010
【図９】
2014018171.tif 000011
【図１０】
2014018171.tif 000012
【図１１】
2014018171.tif 000013
【図１２】
2014018171.tif 000014
【図１３】
2014018171.tif 000015
【図１４】
2014018171.tif 000016
【図１５】
2014018171.tif 000017
【図１６】
2014018171.tif 000018
【図１７】
2014018171.tif 000019
【図１８】
2014018171.tif 000020
【図１９】
2014018171.tif 000021
【図２０】
2014018171.tif 000022
【図２１】
2014018171.tif 000023
【図２２】
2014018171.tif 000024
【図２３】
2014018171.tif 000025
【図２４】
2014018171.tif 000026
【図２５】
2014018171.tif 000027
【図２６】
2014018171.tif 000028